(57)【要約】本発明は、テルペン類を含有する液体組成物を、透明性のある状態で安定的に乳化させる技術を提供することを目的とする。（Ａ）テルペン類を含有する精油、（Ｂ）エタノール、（Ｃ）ポリグリセリン脂肪酸エステル及び（Ｄ）ポリオキシエチレンソルビタン脂肪酸エステルを含み、質量換算で、（Ａ）：（Ｂ）＝1：２．５〜４０である、Ｏ／Ｗ型マイクロエマルション組成物。【特許請求の範囲】
【請求項１】
（Ａ）テルペン類を含有する精油、（Ｂ）エタノール、（Ｃ）ポリグリセリン脂肪酸エステル及び（Ｄ）ポリオキシエチレンソルビタン脂肪酸エステルを含み、質量換算で、（Ａ）：（Ｂ）＝1：２．５〜４０である、Ｏ／Ｗ型マイクロエマルション組成物。
【請求項２】
質量換算で(Ａ)：（Ｃ）＝１：３〜２０である、請求項１に記載のＯ／Ｗ型マイクロエマルション組成物。
【請求項３】
質量換算で（Ａ）：（Ｄ）＝１：０．１〜３である、請求項１又は２に記載のＯ／Ｗ型マイクロエマルション組成物。
【請求項４】
テルペン類を含有する精油が、柑橘系精油、ハーブ系精油及び樹木系精油から成る群より選択される一種以上の植物精油である、請求項１〜３のいずれかに記載のＯ／Ｗ型マイクロエマルション組成物。
【請求項５】
テルペン類を含有する精油を０．１〜４質量％含有する、請求項１〜４のいずれかに記載のＯ／Ｗ型マイクロエマルション組成物。
【請求項６】
請求項１〜５のいずれかに記載のＯ／Ｗ型マイクロエマルション組成物を含有する、飲食品、化粧品、口腔ケア製品及び芳香製品からなる群より選択される製品。
【発明の詳細な説明】
【技術分野】
【０００１】
本発明は、Ｏ／Ｗ型マイクロエマルション組成物に関する。
【背景技術】
【０００２】
一般に、脂溶性物質を水性溶媒に可溶化するためには、脂溶性物質と界面活性剤をあらかじめ混合し、水又は温水を加え、均一に乳化する方法が用いられている。ところが、油溶性物質には乳化能を有する界面活性剤を使用しても安定な透明性のある乳化物を得ることが困難な物質も多く存在する。そのような問題を解決し、乳化安定性を向上させるために種々の乳化剤を組み合わせることが考案されている。【０００３】
例えば、特許文献１には、キラヤサポニン、ポリオキシエチレンソルビタン脂肪酸エステル、及び、アルコールを組み合わせてサラダ油等の油溶性物質を可溶化させたＯ／Ｗ型乳化組成物が提案されている。また、特許文献２には、ビタミン等の脂溶性薬物、ポリグリセリン脂肪酸エステル、ポリオキシエチレン系非イオン性界面活性剤、水溶性多価アルコール及び水を併用した乳化組成物が開示されている。【０００４】
しかしながら、特許文献１や２に開示される技術によってもテルペン類を含有する精油を含む組成物を安定且つ透明性のある状態で乳化させることは困難であった。また、特許文献１に開示される技術は、キサラヤサポニンの使用を必須とするところ、キサラヤサポニンは比較的高価であるため、昨今の経済的情勢の下、そのような物質の使用量の軽減が望まれている。更に、特許文献２に開示される技術については、多価アルコールの使用を必須としているところ、多価アルコールの使用は、食品の用途で使用される場合に独特の風味をもたらす。このような理由から代替技術の開発が望まれていた。
【先行技術文献】
【特許文献】
【０００５】
【特許文献１】特開２０１０−１４２０５号公報
【特許文献２】特開２００４−２７７３７５号公報
【発明の概要】
【発明が解決しようとする課題】
【０００６】
上記のような現状の下、本発明は、テルペン類を含有する液体組成物を、透明性のある状態で安定的に乳化させる技術を提供すること、及び、そのような技術を利用した新たな製品を提供することを目的とする。
【課題を解決するための手段】
【０００７】
本発明者等は、上記の課題を解決すべく、日夜研究を重ねた結果、テルペン類を含有する精油、エタノール、ポリグリセリン脂肪酸エステル、及びポリオキシエチレンソルビタン脂肪酸エステルを含み、精油とエタノールとを特定の割合に配合することによって、キサラヤサポニンや多価アルコールを使用しなくても、透明性及び安定性に優れたマイクロエマルション組成物が得られることを見出した。本発明者等は、斯かる知見に基づき、更なる研究と改良を重ね、本発明を完成するに至った。【０００８】
代表的な本発明を以下に示す。
項１．
（Ａ）テルペン類を含有する精油、（Ｂ）エタノール、（Ｃ）ポリグリセリン脂肪酸エステル及び（Ｄ）ポリオキシエチレンソルビタン脂肪酸エステルを含み、質量換算で、（Ａ）：（Ｂ）＝1：２．５〜４０である、Ｏ／Ｗ型マイクロエマルション組成物。
項２．
質量換算で(Ａ)：（Ｃ）＝１：３〜２０である、項１に記載のＯ／Ｗ型マイクロエマルション組成物。
項３．
質量換算で（Ａ）：（Ｄ）＝１：０．１〜３である、項１又は２に記載のＯ／Ｗ型マイクロエマルション組成物。
項４．
テルペン類を含有する精油が、柑橘系精油、ハーブ系精油及び樹木系精油から成る群より選択される一種以上の植物精油である、項１〜３のいずれかに記載のＯ／Ｗ型マイクロエマルション組成物。
項５．
テルペン類を含有する精油を０．１〜４質量％含有する、項１〜４のいずれかに記載のＯ／Ｗ型マイクロエマルション組成物。
項６．
項１〜５のいずれかに記載のＯ／Ｗ型マイクロエマルション組成物を含有する、飲食品、化粧品、口腔ケア製品及び芳香製品からなる群より選択される製品。 
【発明の効果】
【０００９】
本発明のＯ／Ｗ型マイクロエマルション組成物は、経時的安定性、透明性、及び水への分散性に優れる。また、本発明のマイクロエマルション組成物は、異性化液糖等の多価アルコールを必須としないため、そのような物質に起因した独特の風味がなく、飲食品等における利用に適している。更に、本発明のＯ／Ｗ型マイクロエマルション組成物は、比較的安価であるため、高圧、真空、あるいはジェット流を用いるような特殊な装置あるいは作業工程を必要としないため、取り扱い性に優れ、大量生産に適している。
【図面の簡単な説明】
【００１０】
【図１】図１は、成分（Ａ）と（Ｂ）との配合比率による乳化状態及び透明性に対する影響を調べた結果を示す。
【図２】図２は、成分（Ａ）と（Ｂ）との配合比率による乳化状態及び透明性に対する影響を調べた結果を示す。
【図３】図３は、成分（Ａ）と（Ｃ）との配合比率による乳化状態及び透明性に対する影響を調べた結果を示す。
【図４】図４は、成分（Ａ）と（Ｄ）との配合比率による乳化状態及び透明性に対する影響を調べた結果を示す。
【図５】図５は、成分（Ａ）と（Ｄ）との配合比率による乳化状態及び透明性に対する影響を調べた結果を示す。
【図６】図６は、成分（Ａ）の配合量による乳化状態及び透明性に対する影響を調べた結果を示す。
【発明を実施するための形態】
【００１１】
以下、本発明を詳細に説明する。
本明細書において使用する用語「マイクロエマルション」とは、エマルションに類似した２種の液体からなる分散系であり、ミセルの直径が１００ナノメートル程度以下であり、熱力学的に安定で、且つ、可視光の散乱が少なく、透明または半透明に見えるものをいう。
【００１２】
（Ａ）テルペン類を含有する精油  
本発明のマイクロエマルション組成物は、テルペン類を含有する精油が含まれる。テルペン類とは香料の分野においてテルペン類として認識されているものであれば特に制限されず、モノテルペン、セスキテルペン、ジテルペン、セスタテルペン、トリテルペン、及びテトラテルペン等を挙げることが出来る。
【００１３】
モノテルペンの具体例としては、ゼラニオール、ネロール、リナロール、シトラール、シトロネロール、メントール、ミント、ミルセン、ピネン、リモネン、テレピネロール、カルボン、ヨノン、カンファー、シメン及びボルネオール等を挙げることが出来る。セスキテルペンの具体例としては、エレメン、カジノール、カジネン、ファルネソール、ネロリドール、フムレン(クローブ)、サントニン、セドレン、カリオフィレン等を挙げることが出来る。ジテルペンの具体例としては、ゲラニオール、フィトール、アビエチン酸、タキソール等を挙げることが出来る。トリテルペンの具体例としては、リモニン、カメリアゲニン、ラノステロール、オレアノール酸(青シソ・高麗人参・センブリ・フトモモ等)、ウルソール酸、スクアレン、ホパン、及びベチュリン酸(ベツリン酸)等を挙げることが出来る。テトラテルペンの具体例としては、カロテノイド、及びリコピン等を挙げることが出来る。
【００１４】
上記のテルペン類の中でも好ましいテルペン類は、モノテルペン及びセキステルペンであり、より好ましくはモノテルペンであるピネン、リモネン及びミント等、並びに、セキステルペンであるネロリドールである。
【００１５】
上記のようなテルペン類を含有する精油としては、特に制限されないが、例えば、柑橘系精油、ハーブ系精油及び樹木系精油を好適に使用することが出来る。柑橘系精油としては、例えば、グレープフルーツ精油、レモン精油、ライム精油、オレンジ精油、ベルガモット精油、カボス精油等を挙げることが出来る。ハーブ系精油としては、例えば、ペパーミント精油、ユーカリ精油、ミント精油、クラリセージ精油、ゲットウ精油、バジル精油、スペアミント製油、レモングラス精油及びレモンバーベナ精油等を挙げることが出来る。樹木系精油としては、例えば、サイプレス精油、シダーウッド精油、ジュニパーベリー精油、ティートリー精油、パイン精油、プチグレイン精油及びユーカリ精油等を挙げることが出来る。これらの精油は１種のみを単独で使用しても良く、使用目的に応じて２種以上を任意に組み合わせて使用することも出来る。一実施形態において本発明における使用が好ましい精油は、柑橘系精油である。
【００１６】
精油には、通常、７０質量％以上の割合でテルペン類が含まれる。本発明で使用される精油に含有されるテルペン類の量は特に制限されないが、例えば、７０質量％以上程度含まれていればよく、８０質量％以上、９０質量％以上であり得る。また、上限は１００質量％又は９８質量％等であり得る。
【００１７】
精油は、市販されているものを購入して使用してもよく、公知の手法に従って、植物から採取して使用しても良い。例えば、精油は、水蒸気蒸留法、油脂吸着法、有機溶剤抽出法、超臨界流体抽出法、圧搾法等の手法を適宜組合せ、植物の葉、果実、樹皮、根、茎、果皮、花、蕾、全草等の適当な部位から得ることが出来る。圧搾法で採取した精油は、熱をかけていないため変性が少なく、蒸散して成分バランスが崩れる事もなく、良好な香りを有するという観点で好ましい。
【００１８】
（Ｂ）エタノール
本発明のＯ／Ｗ型エマルション組成物には、エタノールが含まれる。本発明で使用可能なエタノールは、香料や食品の分野において通常使用されるグレードのものであれば特に制限されないが、例えば、９５％以上、好ましくは９９％以上の１級品を使用することが好ましい。エタノールは、市販品をそのまま使用することが出来る。
【００１９】
（Ｃ）ポリグリセリン脂肪酸エステル
本発明のＯ／Ｗ型マイクロエマルション組成物は、ポリグリセリン脂肪酸エステルを含む。本発明において使用可能なポリグリセリン脂肪酸エステルは、当該技術分野において公知のポリグリセリン脂肪酸エステルであれば特に制限されないが、好ましくは、下記の式（１）で示される構造を有する。
【００２０】
【化１】
2014065346.tif 000002
式（１）において、Ｒは、炭素数が６〜２２、好ましくは８〜１６のアルキル基であり、ｎは、２〜１４、好ましくは８〜１２である。このようなポリグリセリン脂肪酸エステルの具体例としては、デカグリセリンモノミリスチン酸エステル、ヘキサグリセリンモノミリスチン酸エステル、デカグリセリンモノラウリン酸エステル、ヘキサグリセリンモノラウリン酸エステル、デカグリセリンモノパルミチン酸エステル、ヘキサグリセリンモノパルミチン酸エステル、デカグリセリンモノステアリン酸エステル、ヘキサグリセリンモノステアリン酸エステル、デカグリセリンモノカプリル酸エステル、デカグリセリンモノオレイン酸エステル等を挙げることが出来る。これらのポリグリセリン脂肪酸エステルは、１種のみを単独で用いても良く、２種以上を任意に組み合わせて使用しても良い。これらのポリグリセリン脂肪酸エステルは、市販品をそのまま使用することが出来る。本発明における使用に好ましいポリグリセリン脂肪酸エステルは、デカグリセリンモノラウレート、デカグリセリンモノステアレート、及びデカグリセリンモノオレートである。
【００２１】
（Ｄ）ポリオキシエチレンソルビタン脂肪酸エステル
本発明のＯ／Ｗ型マイクロエマルション組成物には、ポリオキシエチレンソルビタン脂肪酸エステルが含まれる。ポリオキシエチレンソルビタン脂肪酸エステルは、別名ソルベートとも称され、ソルビタン脂肪酸エステルにポリオキシエチレンが付加された構造を有する。本発明において使用出来るポリオキシエチレンソルビタン脂肪酸エステルとしては、特に制限されないが、例えば、炭素数８〜２２、好ましくは１２〜１８の脂肪酸を有し、ポリオキシエチレンの重合度が３〜６０、好ましくは５〜３０のものが好ましい。そのようなポリオキシエチレンソルビタン脂肪酸エステルとしては、ポリオキシエチレンモノカプリル酸ソルビタン、ポリオキシエチレンモノラウリン酸ソルビタン、ポリオキシエチレンモノステアリン酸ソルビタン、ポリオキシエチレンモノオレイン酸ソルビタン、ポリオキシエチレンモノパルミチン酸ソルビタン、ポリオキシエチレンセキステアリン酸ソルビタン、ポリオキシエチレントリステアリン酸ソルビタン、ポリオキシエチレンイソステアリン酸ソルビタン、ポリオキシエチレンセスキイソステアリン酸ソルビタン、ポリオキシエチレンオレイン酸ソルビタン、ポリオキシエチレンセスキオレイン酸ソルビタン、ポリオキシエチレントリオレイン酸ソルビタン等が挙げられる。これらのポリオキシエチレンソルビタン脂肪酸エステルは、いずれも市販されているため、市販品をそのまま使用することが出来る。好ましいポリオキシエチレンソルビタン脂肪酸エステルは、ポリオキシエチレンモノラウリン酸ソルビタン、ポリオキシエチレンモノステアリン酸ソルビタン、及びポリオキシエチレンモノオレイン酸ソルビタンである。これらのポリオキシエチレンソルビタン脂肪酸エステルは、１種のみを単独で使用しても良く、２種以上を併用しても良い。
【００２２】
（Ｅ）その他の成分
本発明のＯ／Ｗ型マイクロエマルション組成物は、上記成分（Ａ）〜（Ｄ）及び水のみから構成されていても良いが、その優れた透明性及び安定性が阻害されない限り、他の成分を含み得る。他の成分としては、例えば、着色剤、増粘剤、乳化剤、安定化剤、キレート剤、他のエステル類、動植物抽出エキス、他の界面活性剤、多価アルコール類、糖類、ビタミン類、アミノ酸類、酸化防止剤、防腐剤、紫外線防止剤、ｐＨ調整剤等を挙げることが出来る。本発明には、これら他の成分の任意の１種又は２種を含まない態様も含まれる。尚、その他の成分は、水溶性であることが好ましい。エマルションに負の影響を与え得るため、本発明のＯ／Ｗ型マイクロエマルション組成物は、シリコン類やトリグリセライド類を含まないことが好ましい場合もある。
【００２３】
（Ｆ）配合比率
本発明のＯ／Ｗ型マイクロエマルション組成物は、透明性に優れた安定なエマルションを形成するという観点から、好ましくは、質量換算で（Ａ）成分の配合量に対して２．５倍以上の（Ｂ）成分であるエタノールを含有する。また、透明性をより向上させるという観点から、エタノールの配合割合は、より好ましくは（Ａ）成分の配合量に対して３倍以上、更に好ましくは３．５倍以上、より更に好ましくは４倍以上、一層好ましくは５倍以上、より一層好ましくは６倍以上、特に好ましくは７倍以上、最も好ましくは１１倍以上である。エタノールの配合割合が、（Ａ）成分に対して２．５倍以下であると、安定なエマルションが得られない。また、樹木系精油又はハーブ系精油を用いる場合は、エタノールの配合割合は、精油に対して３倍以上であることが好ましい。柑橘系の精油を用いる場合は、エタノールの配合割合は、精油に対して４倍以上であることが好ましい。透明性に優れた安定なエマルションを得るという観点から、エタノールの配合割合の上限は特に無いが、透明性及び安定性がそれ以上向上しないという観点から、（Ａ）成分の配合量に対して４０倍以下、３０倍以下、又は２５倍以下に設定することが出来る。
【００２４】
本発明のＯ／Ｗ型マイクロエマルション組成物における（Ｃ）成分であるポリグリセリン脂肪酸エステルの配合割合は、安定なエマルションが得られる限り、特に制限されないが、透明性及び乳化状態を良好にするという観点から、質量換算で（Ａ）成分の配合量に対して３倍以上であることが好ましく、より好ましくは３．５倍以上である。（Ｃ）成分の配合割合の上限は特に無いが、特性の更なる向上が得られないという観点から、質量換算で（Ａ）成分の配合量に対して２０倍以下、好ましくは１５倍以下、更に好ましくは１０倍以下である。
【００２５】
本発明のＯ／Ｗ型マイクロエマルション組成物における（Ｄ）成分であるポリオキシエチレンソルビタン脂肪酸エステルの配合割合は、安定なエマルションが得られる限り、特に制限されないが、透明性及び乳化状態を良好にするという観点から、質量換算で（Ａ）成分の配合量に対して０．１倍以上であることが好ましく、より好ましくは０．２倍以上、更に好ましくは０．３倍以上、より更に好ましくは０．６倍以上である。（Ｄ）成分の配合割合の上限は特に無いが、特性の更なる向上が得られないという観点から、質量換算で（Ａ）成分の配合量に対して３倍以下、好ましくは１倍以下、更に好ましくは０．７倍以下である。
【００２６】
（Ｇ）配合量
本発明のＯ／Ｗ型マイクロエマルション組成物における（Ａ）成分であるテルペン類を含有する精油の配合量は、安定なエマルションが得られる限り、その目的に応じて適宜設定することが出来るが、通常、０．０１質量％〜４質量％であり、好ましくは０．１〜２質量％であり、より好ましくは０．５〜２質量％である。
【００２７】
本発明のＯ／Ｗ型マイクロエマルション組成物における（Ｂ）成分の配合量は、（Ａ）成分の配合量及び上記（Ａ）成分の配合比率に従って、適宜設定することが可能である。例えば、（Ｂ）成分の配合量の下限は、０．０２５質量％以上、０．０３質量％以上、０．０４質量％以上、０．０５質量％以上、０．０６質量％以上、０．０７質量％以上、０．０８質量％以上、０．１質量％以上、０．１１質量％以上、０．４５質量％以上、０．５質量％以上、０．６質量％以上、０．７質量％以上、０．８質量％以上、１質量％以上、１．１質量％以上、２．２５質量％以上、２．５質量％以上、３質量％以上、３．５質量％以上、４質量％以上、５．５質量％以上、７．５質量％以上、１０質量％以上、又は１２．５質量％以上である。また、（Ｂ）成分の配合量の上限は、例えば、６０質量％以下、５０質量％以下、４０質量％以下、３０質量％以下、２５質量％以下、又は２０質量％以下である。
【００２８】
本発明のＯ／Ｗ型マイクロエマルション組成物における（Ｃ）成分の配合量は、（Ａ）成分の配合量及び（Ａ）成分を基準とした配合比率に従って、適宜設定することが出来る。例えば、（Ｃ）成分の配合量の下限は、０．０３質量％以上、０．０３５質量％以上、０．３質量％以上、０．３５質量％以上、０．５質量％以上、１質量％以上、１．７５質量％以上、３質量％以上、６質量％以上、又は７質量％以上である。（Ｃ）成分の配合量の上限は、例えば、４０質量％以下、３０質量％以下、２０質量％以下、１０質量％以下又は９質量％以下である。
【００２９】
本発明のＯ／Ｗ型マイクロエマルション組成物における（Ｄ）成分の配合量は、（Ａ）成分の配合量及び（Ａ）成分を基準とした配合比率に従って、適宜設定することが出来る。例えば、（Ｄ）成分の配合量の下限は、０．００１質量％以上、０．００２質量％以上、０．００３質量％以上、０．００６質量％以上、０．０１質量％以上、０．０２質量％以上、０．０３質量％以上、０．０５質量％以上、０．０６質量％以上、０．１質量％以上、０．１５質量％以上、０．３質量％以上、０．４質量％以上０．５質量％以上、又は１質量％以上である。（Ｄ）成分の配合量の上限は、例えば、１２質量％以下、１０質量％以下、８質量％以下、５質量％以下、４質量％以下、３．５質量％以下、２質量％以下、１．６質量％以下、１．４質量％以下、又は１．２質量％以下である。
【００３０】
本発明のＯ／Ｗ型マイクロエマルション組成物は、上述する配合比率及び／又は配合量で（Ａ）〜（Ｄ）成分を含有することが好ましく、残部は実質的に水であるが、必要に応じて上記（Ｅ）に示すような他の成分を含むことも可能である。
【００３１】
理論によって拘束される訳ではないが、本発明の構成によって優れたマイクロエマルションが得られる機構は、次のように考えられる。即ち、大きな親水部半径を持つポリオキシソルビタン脂肪酸エステルの骨格中心部分は疎水性空洞を有する。そして、エタノール及びポリグリセリン脂肪酸エステルにて溶液に両親媒性を持たせることによりオイルを均一分散化し易くした状態にポリオキシソルビタン脂肪酸エステルを添加することで、その中心部分にオイルが包まれ、安定したマイクロエマルションが形成される。
【００３２】
（Ｈ）製造方法
本発明のＯ／Ｗ型マイクロエマルション組成物は、上記の各成分を用いて当該技術分野において一般的な方法で製造することが可能である。例えば、（Ａ）〜（Ｄ）成分及び水を混合し、ホモミキサーを用いて適当な時間撹拌することによって得ることが出来る。（Ａ）〜（Ｄ）成分を混合する順序は特に制限されず、例えば、（Ａ）成分及び（Ｂ）成分を混合して溶液（１）を作成する。これとは別に、乳化剤（（Ｃ）成分及び（Ｄ）成分）に水を加えて加温し完全溶解させ、これをホモミキサーで撹拌循環しながら、溶液（１）を添加することができる。撹拌速度は、例えば、５００〜５０００ｒｐｍで行うことが出来る。本発明のＯ／Ｗ型マイクロエマルションは、高圧ホモジナイザー等の機器を使用する必要がなく、簡便に製造することが出来る。製造されたＯ／Ｗ型マイクロエマルション組成物は、適合な容器（例えば、缶やボトル）に充填し、密閉して保管することが出来る。
【００３３】
（Ｉ）製品
本発明のＯ／Ｗ型マイクロエマルション組成物は、種々の製品に利用することができる。製品の種類は特に制限されないが、例えば、飲食品、化粧品、口腔ケア製品及び芳香製品等を挙げることが出来る。
【００３４】
飲食品としては、例えば、スポーツドリンク、果実飲料、炭酸飲料、茶系飲料（例えば、紅茶、ウーロン茶、緑茶等）、発酵飲料、コーヒー飲料、機能性飲料、洋酒（ワイン、ウイスキー、ブランデー、ラム、ジン、リキュール等）、清酒、発泡酒、ビール類、その他の低アルコール飲料等の飲料品、並びに、調味料、ドレッシング、レトルト食品、冷菓等の食品を挙げることが出来る。
【００３５】
化粧品としては、例えば、化粧水、美容液、乳液、クリーム等のスキンケア化粧料、口紅、日焼け止め化粧料、メークアップ化粧料、先発用化粧料、フレグランス化粧料、ＵＶケア化粧料、オーラルケア化粧料、防臭化粧料、ボディ洗浄化粧料等を挙げることができる。
【００３６】
本発明の飲食品等の製品は、前記本発明のエマルション組成物を含有するが、必要に応じて、各製品に通常配合される他の成分を適宜添加することができる。各製品に対して配合される本発明のエマルション組成物の添加量は、製品の種類や目的等に応じて適宜設定することができ、例えば、０．００１〜１０質量％、好ましくは、０．０１〜２質量％とすることが出来る。
【実施例】
【００３７】
実施例１
（Ａ）テルペン類を含有する精油、（Ｂ）エタノール、（Ｃ）ポリグリセリン脂肪酸エステル、（Ｄ）ポリオキシエチレンソルビタン脂肪酸エステル、及び水を混合し、ホモミキサーを用いて２０分間５０００ｒｐｍで撹拌し、Ｏ／Ｗ型マイクロエマルション組成物を作製した。精油には、ペパーミント精油（PEPPERMINT DF 5% CUT）又はサイプレス精油（CYPRESS E_1016560）を用いた。ポリグリセリン脂肪酸エステルには、ポエムＪ−００２１（理研ビタミン株式会社製）を用いた。ポリオキシエチレンソルビタンには、エマゾール Ｏ−１２０Ｖ（ポリソルベート８０：花王株式会社製）を用いた。（Ａ）、（Ｃ）及び（Ｄ）の配合量は、各々２質量％、７質量％及び１質量％に固定し、（Ｂ）の配合量は（Ａ）に対して１．５〜６倍の範囲で変化させた（表１及び表２）。残部は、水である。得られた組成物を室温で１日静置させた後、乳化状態及び透明性を下記の表３に示す評価基準に従って評価した。【００３８】
【表１】
2014065346.tif 000003
【００３９】
【表２】
2014065346.tif 000004
【００４０】
【表３】
2014065346.tif 000005
【００４１】
評価結果を図１に示す。図１の結果から、（Ａ）精油に対する（Ｂ）エタノールの配合割合を２．５倍以上にすることによって、組成物の透明性及び乳化状態が格段に改善されることが判明した。【００４２】
実施例２
（Ａ）成分として、グレープフルーツ精油（Grapefruit E_0020345: V・MANE・FILS Co. Ltd. 製）を用い、（Ａ）成分に対する（Ｂ）エタノールの配合割合を０〜１０倍の範囲で変化させた以外は、実施例１と同様にしてＯ／Ｗ型マイクロエマルション組成物を製造した（表４）。比較対象としてテルペン類が除去されたグレープフルーツ精油（Grapefruit cristalia N.1999 M_0050991: V・MANE・FILS Co. Ltd. 製）を用いて同様の試験を行った。得られた各組成物について、実施例１と同様に評価した。結果を図２に示す。図２の結果から、グレープフルーツ精油を用いた場合も本発明の処方を採用することによって、透明性に優れたマイクロエマルション組成物が得られることが確認された。【００４３】
【表４】
2014065346.tif 000006
【００４４】
実施例３
（Ａ）として、カボス精油、ベルガモット精油（BERGAMOTE REGGIO EDIBLE E_MFJ1038）、又はオレンジ精油（ORANGE BLOOD OIL F_O15259）を用いる以外は、実施例１と同様にして、Ｏ／Ｗ型マイクロエマルション組成物を作製し、評価した。結果、カボス精油、ベルガモット精油、及びオレンジ精油を用いた場合は、実施例１と同様の結果が得られた。即ち、本発明の処方を採用することによって、透明性に優れたＯ／Ｗ型マイクロエマルション組成物が得られた。【００４５】
実施例４
（Ａ）、（Ｂ）及び（Ｄ）の配合量を各々２質量％、１０質量％及び１質量％に固定し、（Ｃ）の配合量を（Ａ）に対して０〜１０倍の範囲で変化させた以外は、実施例１と同様にしてＯ／Ｗ型マイクロエマルション組成物を作製した（表５）。実施例１と同様に、テルペン類が除去されたグレープフルーツ精油を用いて作製した組成物を比較対象とした。得られた組成物について、実施例１と同様に評価した結果を図３に示す。図３の結果から、（Ｃ）ポリグリセリン脂肪酸エステルを（Ａ）テルペン類を含有する精油に対して、３倍以上の量で配合することによって、より透明性に優れるマイクロエマルション組成物が得られることが判明した。【００４６】
【表５】
2014065346.tif 000007
【００４７】
実施例５
（Ａ）、（Ｂ）及び（Ｃ）の配合量を各々２質量％、１０質量％及び７質量％に固定し、（Ｄ）の配合量を（Ａ）に対して０〜１倍の範囲で変化させた以外は、実施例１と同様にしてＯ／Ｗ型マイクロエマルション組成物を作製した（表６）。実施例１と同様に、テルペン類が除去されたグレープフルーツ精油を用いて作製した組成物を比較対象とした。得られた組成物について、実施例１と同様に評価した結果を図４に示す。図４の結果から、（Ｄ）ポリオキシエチレンソルビタン脂肪酸エステルを（Ａ）テルペン類を含有する精油に対して、０．１倍以上の量で配合することによって、より透明性に優れるマイクロエマルション組成物が得られることが判明した。【００４８】
【表６】
2014065346.tif 000008
【００４９】
実施例６
（Ｄ）のポリオキシエチレンソルビタン脂肪酸エステルとして、ポリソルベート６０又はポリソルベート２０を用いた以外は、実施例５と同様の試験を行った。その結果を図５に示す。図５に示される結果から、ポリソルベート６０及びポリソルベート２０を用いた場合も、（Ｃ）ポリグリセリン脂肪酸エステルを（Ａ）テルペン類を含有する精油に対して、０．１倍以上の量で配合することによって、より透明性に優れるマイクロエマルション組成物が得られることが判明した。【００５０】
実施例７
（Ｂ）、（Ｃ）及び（Ｄ）の配合量を各々１０質量％、７質量％及び１質量％に固定し、（Ａ）の配合量を０．５〜４質量％の範囲で変化させた以外は、実施例１と同様にしてＯ／Ｗ型マイクロエマルション組成物を作製した（表６）。実施例１と同様に、テルペン類が除去されたグレープフルーツ精油を用いて作製した組成物を比較対象とした。得られた組成物について、実施例１と同様に評価した結果を図６に示す。図６の結果から、本実施例の処方では、（Ａ）の配合割合が２質量％までであれば、良好な透明性を有するマイクロエマルション組成物が得られることが示された。【００５１】
【表７】
2014065346.tif 000009
【００５２】
実施例８
（Ａ）成分として、ブラッドオレンジ精油を用いた以外は、実施例１と同様にしてＯ／Ｗ型マイクロエマルション組成物を製造した。その結果、本発明の処方を採用することによって、透明性に優れたマイクロエマルション組成物が得られることが確認された。
【図１】
2014065346.tif 000010
【図２】
2014065346.tif 000011
【図３】
2014065346.tif 000012
【図４】
2014065346.tif 000013
【図５】
2014065346.tif 000014
【図６】
2014065346.tif 000015
【国際調査報告】
2014065346.tif 000016
2014065346.tif 000017
2014065346.tif 000018
2014065346.tif 000019